(57)【特許請求の範囲】
【請求項１】
机天板と、前記机天板を支持する複数の脚支柱と、前記各脚支柱の上端部に固定された連結体と、端部が前記連結体に固定された横長の横梁とを有しており、連結体同士を横梁で連結している構成であって、
前記各連結体は前記脚支柱の上端部に上方から操作される止着具にて固定されており、各連結体に、前記横梁の端部が上から嵌まる上向き開放溝状の水平アーム部を一体的に形成し、前記水平アーム部の底部に上向きのボス部を突出形成している一方、
前記横梁の端部には、その下面側には前記連結体のボス部に被嵌する孔を設けられていてその上面側にはビスが嵌められるようになっており、前記横梁の端部は、前記孔を前記ボス部に上から嵌め入れてのちビスを前記ボス部に上からねじ込むことによって前記ボス部に固定されており、
更に、前記連結体にはビスを下方から挿入できる複数のビス取付け部が形成されており、前記各ビス取付け部に下方から挿入したビスを前記机天板に設けた埋め込みナットにねじ込むことにより、前記連結体と机天板とを固定している、
机。
【発明の詳細な説明】
【技術分野】
【０００１】
本発明は、筆記又はコンピュータ操作等のような各種のデスクワークを行う事務等に使用される机の構造に関するものである。
【背景技術】
【０００２】
この種の机の構造として例えば特許文献１には、４本の脚支柱の各上端面に取付けるコーナブロックには平面視で９０度方向に延びる水平挿入杆を一体的に形成し、この水平挿入杆にアルミ押出材からなる横方向に延びる中空状の横梁の端部を被嵌した後、止着具（ボルト）にて水平挿入杆と横梁とを水平方向に固定し、これによって平面視で四角状の枠組みを形成し、この横梁側を机天板の下面に上向きの止着具（ボルト）で固定することが開示されている。
【０００３】
その場合、亜鉛ダイカスト製のコーナブロックには、アルミ押出材からなる脚支柱の中空状の筒に嵌まる鉛直挿入杆が一体的に設けられており、横方向の止着具（ボルト）にて脚支柱の側壁と鉛直挿入杆とをネジ（ボルト）止めすることで、コーナブロックを脚支柱に抜け不能に固定している。
【特許文献１】特公平０７−４９０１２号公報
【発明の開示】
【発明が解決しようとする課題】
【０００４】
しかしながら、前記特許文献１に開示の机では、脚支柱の上端面とコーナブロックとを垂直のネジで固定していないから、机天板に水平荷重等の側方荷重が作用したとき、机天板の下面と脚支柱の上端面との間が開くように脚支柱の上端が撓み易くなり、その側方強度に対する抵抗力（コーナブロックと脚支柱との固定強度）が弱いという問題があった。
また、脚支柱と、コーナブロックと、横梁との固定作業（連結作業）に際して、ボルトやねじの止着具の相手部材に対する取付け方向が水平方向であったため、作業者の腰の高さ以下の脚支柱上端部に対して、作業者は、屈んで、若しくは膝を大きく曲げ（若しくは膝を床につけ）た姿勢でコーナブロックや横梁の固定作業（連結作業）を行なわなければならない。従って、多数の机の組み立て作業を行なうと、作業負荷が大きくなるという問題があった。
【０００５】
本発明は、上記の従来の問題を解消することを技術的課題とするものである。
【課題を解決するための手段】
【０００６】
上記の技術的課題を達成するため、請求項１に記載の発明は、机天板と、前記机天板を支持する複数の脚支柱と、前記各脚支柱の上端部に固定された連結体と、端部が前記連結体に固定された横長の横梁とを有しており、連結体同士を横梁で連結している構成において、前記各連結体は前記脚支柱の上端部に上方から操作される止着具にて固定されており、各連結体に、前記横梁の端部が上から嵌まる上向き開放溝状の水平アーム部を一体的に形成し、前記水平アーム部の底部に上向きのボス部を突出形成している一方、
前記横梁の端部には、その下面側には前記連結体のボス部に被嵌する孔を設けられていてその上面側にはビスが嵌められるようになっており、前記横梁の端部は、前記孔を前記ボス部に上から嵌め入れてのちビスを前記ボス部に上からねじ込むことによって前記ボス部に固定されており、
更に、前記連結体にはビスを下方から挿入できる複数のビス取付け部が形成されており、前記各ビス取付け部に下方から挿入したビスを前記机天板に設けた埋め込みナットにねじ込むことにより、前記連結体と机天板とを固定している。
【発明の効果】
【０００７】
本願発明によれば、各連結体は前記各脚支柱の上端部に上方から止着具にて固定されると共に、横梁は、その端部の孔をボス部に上から嵌め入れてのちビスをボス部に上からねじ込むことによってボス部に固定されるため、複数の脚支柱の上端部に対する連結体の固定作業（連結作業）及びこの連結体に対する横梁の固定作業（連結作業）は、作業者が立ち姿勢の状態で行なうことができる。従って、作業者は、屈んで、若しくは膝を大きく曲げ（若しくは膝を床につけ）た姿勢をとる必要がなく、多数の机の組み立て作業を行なっても作業負荷が少なくて済むという効果を奏する。
【０００８】
また、本願発明は、連結体をビスで机天板の埋め込みナットに締着固定したものであるから、机天板と脚支柱との固定強度が大幅に向上するという効果を奏する。
【発明を実施するための最良の形態】
【０００９】
以下、本発明を実施するための最良の形態を、図面を参照しながら説明する。図１〜図１１は実施形態を示し、図１は机の全体正面図、図２は机の１つの隅部を示す切欠き斜視図、図３は構成部品の分解斜視図、図４は連結体の平面図、図５は図４のＶ−Ｖ線矢視図、図６は連結体の斜視図、図７は一部切欠き要部拡大側断面図、図８は図７の VIII −VIII線矢視拡大断面図、図９は図５のIX−IX線矢視拡大断面図、図１０はスペーサ体の斜視図、図１１は脚支柱の下端のアジャスタ取付片を示す斜視図である。
【００１０】
本実施形態における机１は、平面視略矩形状の机天板２と、机天板２の下面の４隅部分を支持する４本の脚支柱３と、机天板２を支持固定するための枠体５と、４本の脚支柱３の上端に固定され、且つ机天板２及び枠体を連結するための連結体４とを備える。枠体５は、断面が実質上矩形で中空状の４本の横梁５ａからなる。実施形態では机天板２は木製である。
【００１１】
脚支柱３はアルミ押出材であり、各脚支柱３の外周は、平断面において１つの丸角部３ａと２つの鋭角部３ｂ，３ｂとを有する実質上三角形に形成されている。また、上記２つの鋭角部３ｂ，３ｂの間を連結する仕切板部３１を介して、中空状の筒部３２と縦長の凹溝３３とに区画されている。そして、筒部３２における丸角部３ａ側と仕切板部３１側とには、平面視においてΩ状のビスポケット３４，３５（図８参照）が一体的に形成されている。
【００１２】
連結体４は、図３〜図７に示すように、アルミダイキャスト品である。図４に示すように、連結体４の基部ブロック４１は、平面視で実質上５角形に形成された底板４１ａに複数のリブ４１ｂが起立して補強された構成になっている。
【００１３】
基部ブロック４１には、脚支柱３の平面形状と実質的に同一形状（三角形）の上部支持部４２と、脚支柱３の鋭角部３ｂ，３ｂに当接すると共に一部が凹溝３３に嵌まる側部支持部４３とが一体的に形成されている。そして、上部支持部４２の下面は脚支柱３の上端面（平面）にきっちりと当接できるように形成され、且つ上部支持部４２の下面には、脚支柱３における筒部３２の上端部に上方から嵌入できる位置決めブロック４４が突出形成されている。さらに、上部支持部４２には、脚支柱３における上記各ビスポケット３４，３５にネジ止め固定するための止着具としての六角孔付きのボルト４５及びビス４６が上方から挿通できる取付孔４５ａ，４６ａを穿設している（図４〜図７参照）。
【００１４】
上部支持部４２の一部（脚支柱３における丸角部３ａの側）は基部ブロック４１に対して段落ちしており、従って、その段落ちした部分と机天板２の角部下面との間に隙間ができる（図１及び図２参照）。
【００１５】
他方、基部ブロック４１には、平面視で上部支持部４２と反対側に位置して平面視で９０度の向きを変えた一対の横梁支持部（水平アーム部）４７が形成されている。横梁支持部４７は上向き開放溝状に形成されている。そして、各水平アーム部４７には、断面中空矩形状の各横梁５ａの端部を上から嵌め入れている。各水平アーム部４７の底には上向きに突出するボス部４８が形成されている一方、各横梁５ａの下面側にはボス部４８と同じ断面形状の丸孔（図示せず）が穿設されており、各横梁５ａをその上面側からビス４９にてボス部４８にネジ止め固定している。
【００１６】
基部ブロック４１には、さらに、机天板２の下面に開口する埋め込みナット（鬼目ナット）５９に対してビス５１を下方から締着するための複数のビス取付部５１ａ〜５１ｄが形成されている（図４、図６及び図７参照）。
【００１７】
連結体４の側部支持部４３には、脚支柱３における上記鋭角部３ｂ，３ｂに当接する広幅部４３ａと、凹溝３３に嵌まる狭幅部４３ｂとが一体的に形成されている。そして、広幅部４３ａの下端側には、止着具としての横ボルト５２の軸部が挿通できる下向き開口の切り開き溝５３が形成されている（図５、図９参照）。
【００１８】
既述のとおり連結体４はアルミダイキャスト品であり、金型（鋳型）にアルミ溶融金属を鋳込んで後、温度の下がって固まってから連結体４を金型（鋳型）から外すが、金型からの取り外しのため、連結体４の外形には抜きテーパーが形成されている。側部支持部４３においても、広幅部４３ａ及び狭幅部４３ｂの厚さが下端に行くに従って脚支柱３の側面（鋭角部３ｂ，３ｂの片面）から離れるように傾斜している。
【００１９】
側部支持部４３を脚支柱３の側面に沿わせて、横ボルト５２にて脚支柱３に締着固定するに際して、脚支柱３の筒部３２内にその縦軸線方向に沿わせて平板状の補強部材５４を挿入する。筒部３２内で縦長の補強部材５４の配置位置がビスポケット３５との間でずれないように、筒部３２内に一対の縦長の突条部３２ａが形成されている（図８参照）。
【００２０】
また、図９及び図１０に示すように、合成樹脂材からなるスペーサ体５５を、凹溝３３内に入れる。このスペーサ体５５の平板部５５ａは、上側の厚さが薄く下に行くに従って厚くなるように形成されて、側部支持部４３における広幅部４３ａの内面に沿い、脚支柱３に連結体４を装着したときの横梁支持部（水平アーム部）４７の姿勢が水平となるように規制される。また、スペーサ５５における平板部５５ａの一部には、切り溝５３に摺動自在に嵌まる案内ブロック５５ｂと、横ボルト５２のための挿通孔５５ｃとが形成されている。
【００２１】
なお、脚支柱３の下端には、これと同じ断面形状の下カバー部材５６（合成樹脂材でも可能）が装着され、これにアジャスタボルト５７が高さ調節可能に取付けられる（図１１参照）。
【００２２】
上記の構成において、机の組み立てに当たっては、予め、脚支柱３の下端に下カバー部材５６及びアジャスタボルト５７を装着した後、まず、脚支柱３の筒部３１内に補強部材５４を上から挿入する。次いで、連結体４の上部支持部４２を脚支柱３の上端から被せ、縦方向の止着具であるボルト４５及びビス４６を取付孔４５ａ，４５ｂから差し込み、ボルト４５及びビス４６をビスポケット３４，３５にねじ込んで固定する。
他方、側部支持部４３における広幅部４３ａの内面を、一列に並んでいる鋭角部３ｂ，３ｂに当接させ、広幅部４３ａの下方から凹溝３３内に挿入したスペーサ体５５の案内ブロック５５ｂを切り溝５３内に挿入する。次いで、横方向の止着具である六角孔付き連結用の横ボルト５２をスペーサ体５５の挿通孔５５ｃ及び予め凹溝３３（仕切板部３１）の所定高さ位置に穿設されている孔５８（図８参照）を介して補強部材５４のネジ孔にねじ込んで締結する。
【００２３】
このようにして、脚支柱３の上端部に連結体４を縦横の複数の止着具（ボルト４５、ビス４６、横ボルト５２）にて固定することにより、従来の取付構造に比べて、固定（取付）強度が大幅に向上する。また、スペーサ体５５を脚支柱３の側面（仕切板部３１）と側部支持部４３との間に介挿することで、脚支柱３に対する連結体４の取付姿勢も一定にでき、また、側部支持部４３の下端側が脚支柱３の側面の凹溝３３内に大きく撓むことを防止して側部支持部４３の変形を免れることができるという効果を奏する。
【００２４】
次いで、連結体４における一対の水平アーム部４７に横梁５ａを被せた後、横梁５ａをビス４９でボス部４８に固定し、さらに、横梁５ａの下面側及び連結体４における基部ブロック４１の下面側から机天板２にそれぞれビス５１をねじ込めば、机天板２は強固に固定されることになる。
【００２５】
図１２〜図２０は参考例を示す。図１２は構成部品の分解斜視図、図１３は連結体、脚支柱等の分解斜視図、図１４は連結体の正面図、図１５は連結体の平面図、図１６は連結体の一部切欠き下面図、図１７は図１６のXVII−XVII線矢視断面図、図１８連結体の取付部の側断面図、図１９は図１８のXIX −XIX 線矢視要部拡大側断面図、図２０は脚支柱と連結体の取付け状態を示す斜視図である。
この参考例では、左右一対の脚支柱１０の下端にはそれぞれ横長の安定足１１が取付られ、各脚支柱１０の上端に連結体１２が止着具を介して固定されている。また、連結体１２同士を横梁１３にて連結し、連結体１２及び横梁１３と机天板２の下面とをビスにて固定するものである。各脚支柱１０はアルミ押出材であり、連結体１２及び安定足１１はアルミダイカスト品である。
【００２６】
本参考例における脚支柱１０は、図１９に示すように、水平断面の外形形状が実質上  台形であり、長辺の左右両側に丸角部１０ａが形成され、短辺の両側に一対の鈍角部１０ｂが形成されている。そして、一対の鈍角部１０ｂの間に凹溝１４が形成されるように、仕切板部１５を設ける。また、第１仕切板部１５の両端と長辺部とを連結するように、一対の第２仕切板部１６を設ける。
これにより、一対の第２仕切板部１６の間に、平面視矩形状の筒部１７ａが形成され、各第２仕切板部１６と各丸角部１０ａとの間には平面視略三角形状の筒部１７ｂが形成される。そして、各筒部１７ｂには、各第２仕切板部１６側と各丸角部１０ａ側とにそれぞれ平面視においてΩ状のビスポケット３４′、３５′（図１９参照）が一体的に形成されている。
【００２７】
連結体１２は、図１２〜図１７に示すように、アルミダイキャスト品である。連結体１２の基部ブロック１８は、図１３、図１４に示すように、平面視で実質上５角形に形成され、複数の垂直に延びるリブ１８ｂにて補強されている。
【００２８】
基部ブロック１８には、脚支柱１０の平面形状と実質的に同一形状（台形）の上部支持部１９と、脚支柱１０における上記鈍角部１０ｂ，１０ｂに当接し、且つ一部が凹溝１４に嵌まる側部支持部２０と、断面中空矩形状の横梁１３の端部に嵌入して支持する水平アーム部２１と、この水平アーム部２１に対して９０度方向に延びる補助水平アーム部２２とが一体的に形成されている。水平アーム部２１及び各補助水平アーム部２２にも複数の垂直に延びるリブが設けられて重量軽減を図りながら強度を向上させるように形成されている。
【００２９】
上部支持部１９の下面は脚支柱１０の上端面（平面）にきっちりと当接できるように形成され、且つ上部支持部１９の下面には、脚支柱１０における２つの筒部１７ｂの上端部に上方からそれぞれ嵌入できる位置決めブロック２３が突出形成されている（図１６参照）。さらに、上部支持部１９には、脚支柱１０における上記各ビスポケット３４′、３５′にネジ止め固定するための止着具としての六角孔付き連結ボルト４５′、ビス４６′とが上方から挿通できる取付孔４５ａ′，４６ａ′（合計４個）が穿設されている（図１３、図１５、図１６及び図２０参照）。
【００３０】
上部支持部１９の一部（脚支柱１０における丸角部１０ａの側）が基部ブロック１８に対して段落ちしており、従って、その段落ちした部分と机天板２の角部の下面との間に隙間ができることになる（図１８参照）。
【００３１】
他方、基部ブロック１８から突出する水平アーム部２１は断面中空矩形状であり、この水平アーム部２１の先端から断面中空矩形状の横梁１３の端部を水平方向に嵌め入れ、各横梁１３をその上面側からビス４９′にてボス部２１ａにネジ止め固定する（図１７及び図１８参照）。
【００３２】
側部支持部２０は、脚支柱１０における上記鈍角部１０ｂ，１０ｂに当接する広幅部２０ａと、凹溝１４に嵌まる狭幅部２０ｂとが一体的に形成されたものである。そして、広幅部２０ａの下端側には、止着具としての横ボルト５２′の軸部が挿通できる切り溝５３′が形成されている（図１４、図１７及び図１９参照）。
【００３３】
そして、実施形態と同様に、アルミダイキャストにおいて連結体１２を金型（鋳型）から外するために、連結体１２の外形には抜きテーパーが形成されている。側部支持部２０においても、広幅部２０ａ及び狭幅部２０ｂの厚さが下端に行くに従って脚支柱１０の側面（鈍角部１０ｂ，１０ｂの片面）から離れるように傾斜している。
【００３４】
そして、実施形態と同様の形状のスペーサ体５５（図１０参照）を、凹溝１４内に入れる。このスペーサ体５５の平板部５５ａは上側の厚さが薄く下に行くに従って厚くなるように形成されて、広幅部４３ａの内面に沿い、脚支柱１０に連結体１２を装着したときの水平アーム部２１の姿勢が水平となるように規制される。また、平板部５５ａの一部には、切り溝５３′に摺動自在に嵌まる案内ブロック５５ｂと、横ボルト５２′のための挿通孔５５ｃとが形成されている。
【００３５】
側部支持部２０を脚支柱１０の側面に沿わせて、横ボルト５２′にて脚支柱１０に締着固定するに際して、脚支柱１０の中央の筒部１７ａ内にその縦軸線方向に沿わせて、筒部１７ａの断面と同じ断面形状の補強部材２４を挿入する（図１９参照）。
【００３６】
なお、図１３に示すように、安定足１１にも、上部支持部１９における位置決めブロック２３と同じ形状の一対の位置決めブロック２５を設けて、これを脚支柱１０の下端での筒部１７ｂに嵌入することで、安定足１１と脚支柱１０とをしっかり位置決めできる。そして、安定足１１の下面側から止着具としてのボルト２６を脚支柱１０のビスポケット３４′、３５′に締着すればよい。アジャスタボルト２７は安定足１１に対する高さ調節及び傾斜調節手段である。
【００３７】
上記の構成において、予め、脚支柱１０の下端に安定足１１及びアジャスタボルト２７を装着した後、脚支柱１０の筒部１７ａ内に補強部材２４を上から挿入する。次いで、連結体１２の上部支持部１９を脚支柱１０の上端から被せ、縦方向の止着具であるボルト４５′及びビス４６′を取付孔４５ａ′，４５ｂ′から差し込み、ボルト４５′及びビス４６′をビスポケット３４′、３５′に締着固定する。他方、側部支持部２０における広幅部２０ａの内面を、一列に並んでいる鈍角部１０ｂ，１０ｂの片面に当接させ、広幅部２０ａの下方から凹溝１４内に挿入したスペーサ体５５の案内ブロック５５ｂを切り溝５３′内に挿入する。次いで、横方向の止着具である六角孔付き連結用の横ボルト５２′をスペーサ体５５の挿通孔５５ｃ及び予め凹溝１４（第１仕切板部１５）の所定高さ位置に穿設されている孔（図１９参照）を介して補強部材２４のネジ孔に締着させるのである。
【００３８】
このようにして、脚支柱１０の上端部に連結体１２を縦横の複数の止着具（ボルト４５′、ビス４６′、横ボルト５２′）を介して固定することにより、従来の取付構造に比べて、固定（取付）強度が大幅に向上する。また、スペーサ体５５を脚支柱１０の側面（第１仕切板部１５）と側部支持部２０との間に介挿することで、脚支柱１０に対する連結体１２の取付姿勢も一定にでき、また、側部支持部２０の下端側が脚支柱１０の側面の凹溝１４内に大きく撓むことを防止して側部支持部２０の変形を免れることができる。
【００３９】
なお、補助水平アーム部２２に設けられた複数箇所の取付孔２８ａ，２８ｂ及び横梁１３の中途部にこれと直交して延びる補助アーム２９に設けられた複数箇所の取付孔２９ａの下面側から、ビス３０を机天板２にねじ込めばよい（図１２、図１３参照）。
【００４０】
また、脚支柱３（１０）と机天板２の下面との間に前記連結体４（１２）における上部支持部４２（１９）の段差による大きな隙間が形成できるので、その隙間を利用して、机上への部品の取付けスタンド等の基部を固定する等の用途が発生する。
【図面の簡単な説明】
【００４１】
【図１】本発明の実施形態に係る事務用机の正面図である。
【図２】机の角部を見る一部切欠き拡大斜視図である。
【図３】机の構成部品の斜視図である。
【図４】連結体の実施形態を示す平面図である。
【図５】図４のＶ−Ｖ線矢視側面図である。
【図６】連結体の斜視図である。
【図７】一部切欠き要部拡大側断面図である。
【図８】図７の VIII −VIII線矢視断面図である。
【図９】図５のIX−IX線矢視拡大側断面図である。
【図１０】スペーサ体の斜視図である。
【図１１】下部カバー部材の斜視図である。
【図１２】参考例に係る机の構成部品の斜視図である。
【図１３】参考例の連結体と脚支柱と安定足とを示す分解斜視図である。
【図１４】参考例の連結体の平面図である。
【図１５】連結体の正面図である。
【図１６】連結体の一部切欠き下面図である。
【図１７】図１６のXVII−XVII線矢視断面図である。
【図１８】連結部の一部切欠き側断面図である。
【図１９】図１８のXIX-XIX 線矢視拡大断面図である。
【図２０】連結部の一部切欠き斜視図である。
【符号の説明】
【００４２】
２  机天板
３  脚支柱
４  連結体
５ａ  横梁
４１  基部ブロック
４２  上部支持部
４７  水平アーム部（横梁支持部）
４５，４６，４９，５２  止着具としてのボルト及びビス
４８  ボス部
５５  スペーサ体
５９  埋め込みナット
【図７】
0004815483.tif 000002
【図１】
0004815483.tif 000003
【図２】
0004815483.tif 000004
【図３】
0004815483.tif 000005
【図４】
0004815483.tif 000006
【図５】
0004815483.tif 000007
【図６】
0004815483.tif 000008
【図８】
0004815483.tif 000009
【図９】
0004815483.tif 000010
【図１０】
0004815483.tif 000011
【図１１】
0004815483.tif 000012
【図１２】
0004815483.tif 000013
【図１３】
0004815483.tif 000014
【図１４】
0004815483.tif 000015
【図１５】
0004815483.tif 000016
【図１６】
0004815483.tif 000017
【図１７】
0004815483.tif 000018
【図１８】
0004815483.tif 000019
【図１９】
0004815483.tif 000020
【図２０】
0004815483.tif 000021